(57)【特許請求の範囲】
【請求項１】
ドアの後面を形成し、且つ外面に凹陥した少なくとも一つのスロットが水平方向に長く形成されたドアライナーと、
前記スロットに対応して前記ドアライナーの裏面に設けられたスロット対応突部を断熱層形成のための発泡圧から保護するスロット保護具と、
内部に収納空間が設けられ、且つ前記スロットに嵌挿でき且つ左右に摺動する構成の少なくとも一つの取り付け突起が設けられたドアバスケットと、を含み、
前記スロット保護具は、前記ドアライナーの内面から所定間隔を置いた位置に設けられ且つ前記スロット対応突部の先端に隣接するカバー本体と、
前記カバー本体の一側から前記スロット対応突部に向って突出し且つ前記スロット対応突部の上下面形状に対応する形状を有する一対の上下端カバー部とを含むことを特徴する冷蔵庫用ドアバスケットの取り付け構造体。
【請求項２】
前記スロットは入口部が内部に比べて相対的に幅狭く形成され、且つ前記上下端カバー部のうちのいずれかの先端は、前記スロットの入口部に対応して前記スロット対応突部の基底部に向って所定角度で傾斜し且つ前記スロット対応突部に密着する構成の傾斜カバー部を含むことを特徴する請求項１に記載の冷蔵庫用ドアバスケットの取り付け構造体。
【請求項３】
前記スロット対応突部が前記上下端カバー部間に嵌挿されることにより、前記スロット保護具が前記ドアライナーの内面に仮固定されることを特徴する請求項１に記載の冷蔵庫用ドアバスケットの取り付け構造体。
【請求項４】
前記スロット保護具の一側は、前記ドアの内部の断熱のために注入される発泡液を前記ドアライナーとスロット保護具との間に形成された空間に流動可能にする複数の発泡孔を含むことを特徴する請求項１に記載の冷蔵庫用ドアバスケットの取り付け構造体。
【請求項５】
前記スロット保護具は、前記上下端カバー部が形成された面と反対の面に補強リブを有することを特徴する請求項１に記載の冷蔵庫用ドアバスケットの取り付け構造体。
【発明の詳細な説明】
【技術分野】
【０００１】
本発明は、冷蔵庫に関し、より詳しくは、冷蔵庫のドア後面に左右に移動可能に取り付けられるドアバスケットの取り付け構造に関する。
【背景技術】
【０００２】
図１の（ａ）及び（ｂ）には、従来技術によるドアバスケットの取り付け構造が示されている。これを参照して、ドア１０は、冷蔵庫の保存空間(図示せず)を選択的に開閉するもので、大別して、前面外壁と側面及び上下面の外壁とを外壁板１１が形成し、後面外壁をドアライナー１３が形成している。前記外壁板１１とドアライナー１３との間には断熱層１４が形成される。前記断熱層１４は、ポリウレタン(polyurethane)を発泡して形成される。
【０００３】
前記ドア１０の背面に該当する前記ドアライナー１３の外面両側端部には、前方に突出した一対の突出部１５が上下に長く形成される。また、一対の前記突出部１５間には複数のスロット１７が左右に長く形成されている。前記スロット１７は、前記ドアライナー１３の一部を凹陥させて形成され、上下一対で設けられる。前記スロット１７は、その入口部１７ａが内部１７ｂよりも相対的に幅狭く形成されることにより、後述する取り付け突起２３が挿入された状態では外部に抜け出すことがなくなる。
【０００４】
前記ドアライナー１３の外面に取り付けられるドアバスケット２０は、内部に収納空間２１が設けられ、ほぼ左右に長く形成される。前記ドアバスケット２０は、その左右の長さが一対の突出部１５間の間隔よりも小さく形成される。前記ドアバスケット２０の背面には、前記ドアバスケット２０を前記ドアライナー１３に取り付けるための複数の取り付け突起２３、２３′が設けられている。
【０００５】
前記取り付け突起２３、２３′は、前記ドアバスケット２０の背面の上下部に上下２列に一対に設けられ、それぞれ後方に突出している。好ましくは、前記取り付け突起２３、２３′が前記ドアバスケット２０の背面の上下部両側にそれぞれ一対ずつ少なくとも４つ設けられる。前記取り付け突起２３、２３′のうち、相対的に上部に設けられる取り付け突起２３は、前記スロット１７の入口部１７ａを無理やり嵌挿することにより挿通するように設けられ、下部に設けられる取り付け突起２３′は、スロット１７の天井に接触して、ドアバスケット２０の荷重を支持する役割をする。前記取り付け突起２３を備える前記ドアバスケット２０または前記取り付け突起２３は、所定の弾性を有する材質で形成してもよい。
【０００６】
しかし、このような構成の従来技術による冷蔵庫用ドアバスケットの取り付け構造においては、次のような問題点があった。
【０００７】
すなわち、ドア１０の製造過程で前記外壁板１１とドアライナー１３との間の空間に発泡液が充填されるが、この発泡液の圧力により、図２に示すように、前記スロット１７の形状が変形する。
【０００８】
このように、前記スロット１７が変形すると、前記取り付け突起２３を前記スロット１７へ挿入し難くなり、前記取り付け突起２３が前記スロット１７に嵌挿された状態で左右に摺動できなくなり、製品の不良が発生することもある。
【０００９】
このような問題点を解決するために、前記ドアライナー１３の厚さを発泡液による圧力に抵抗できる値以上に増やすことができる。しかし、前記ドアライナー１３の厚さを増すと、製造コストが上昇するだけでなく、前記ドアライナー１３の厚さを増すには限界があり、前記スロット１７の変形防止に実効性がなかった。
【発明の開示】
【発明が解決しようとする課題】
【００１０】
本発明は、上記問題点に鑑みなされたものであり、ドアバスケットの移動のためにスロットを正確に形成できるようにする冷蔵庫用ドアバスケットの取り付け構造を提供することを目的とする。
【００１１】
また、本発明は、製品の製造コストを低減できるように構成される冷蔵庫用ドアバスケットの取り付け構造を提供することを他の目的とする。
【課題を解決するための手段】
【００１２】
上記の目的を達成するため、本発明による冷蔵庫用ドアバスケットの取り付け構造体においては、ドアの後面を形成し、且つ外面に凹陥した少なくとも一つのスロットが左右即ちドアを横切る水平方向に長く形成されたドアライナーと、前記ドアライナーの裏面に設けられた少なくとも一つの前記スロットに対応するスロット対応突部を取り囲むように設けられたスロットカバー、即ちスロット保護具と、前記スロットに嵌挿でき且つ左右に摺動するように構成された少なくとも一つの取り付け突起が設けられたドアバスケットとを含み、前記スロット保護具は、前記ドアライナーの裏面後方に上下に設けられ、前記スロット対応突部の端部に密着する構成のカバー本体と、前記カバー本体の一側から前方に突出し且つ前記スロット対応突部の上下面にそれぞれ密着する構成の一対の上下端カバー部とを含むことを特徴する。
【００１４】
前記スロットは入口部が内部に比べて相対的に幅狭く形成され、且つ前記上下端カバー部のうちのいずれかの先端は、前記スロットの入口部に対応して前記スロット対応突部の基底部に向って所定角度で傾斜し且つ前記スロット対応突部に密着する構成の傾斜カバー部を含んでよい。
【００１５】
前記スロット対応突部が前記上下端カバー部間に嵌挿されることにより、前記スロット保護具が前記ドアの裏面に固定される構成であることが好ましい。
【００１６】
前記スロット保護具の一側は、前記ドアの内部断熱のために注入される発泡液を前記ドアライナーとスロット保護具との間に形成された空間に流動可能にする複数の発泡孔を有することが好ましい。
【００１７】
前記スロット保護具は、前記上下端カバー部が形成された面と反対の面に補強リブを有することが好ましい。
【発明の効果】
【００１８】
このような本発明による冷蔵庫用ドアバスケットの取り付け構造体によれば、製品の不良率を低減すると共に製品の製造コストを低減するという利点がある。
【００１９】
更に、本発明による冷蔵庫用ドアバスケットの取り付け構造によれば、ドアの製造過程でドアライナーに設けられたスロットの形状の変形を防止するために、スロット保護具を使用している。これにより、断熱層の形成過程でスロットが変形することを防止し、不良発生が無くなる効果がある。
【００２０】
また、本発明では、ドアライナーに形成されたスロットの変形がスロット保護具により防止されるため、ドアライナーの厚さを設計可能な最小値にすることができ、ドアの製造コストを低減する効果がある。
【発明を実施するための最良の形態】
【００２１】
以下、本発明の好ましい実施形態を、添付図面に基づいて詳しく説明する。
【００２２】
図３は、本発明による冷蔵庫用ドアバスケットの取り付け構造の好ましい実施例を示す正面図であり、図４は、本発明の実施例による構成を示す断面図であり、図５は、本発明の実施例を構成するスロットカバー、即ちスロット保護具４５を示す断面図である。
【００２３】
図示のように、外壁板３１が冷蔵庫のドア３０の前面外壁と側面及び上面外壁とを構成している。前記外壁板３１の後方には、前記ドア３０の背面外壁を構成するドアライナー３３が取り付けられる。前記外壁板３１とドアライナー３３との間に設けられた空間には断熱層３４が形成される。前記断熱層３４は、ポリウレタン(polyurethane)のような発泡液が充填され且つ固化されることにより形成され、ドア３０の内外部間の熱交換を遮断する。
【００２４】
前記ドア３０の背面に該当する前記ドアライナー３３の外面の両側端部には、前方に突き出している一対の突出部３５が上下に長く形成される。一対の前記突出部３５間に該当する前記ドアライナー３３の外面には、ドアバスケット４０を取り付けるための複数のスロット３７が左右に長く形成されている。
【００２５】
前記スロット３７は、ドアバスケット４０を取り付けるためのものであり、前記ドアライナー３３の一部を凹陥して形成される。本実施例において、前記スロット３７は、その両端部が前記突出部３５まで延びていなくてもよい。これは、前記ドアバスケット４０の背面に設けられる取り付け突起４３、４３′がドアバスケット４０の両端縁部に設けられないためである。もちろん、前記取り付け突起４３、４３′がドアバスケット４０の背面の両端縁部に設けられる。スロット３７もこれに対応して突出部３５に隣接した位置まで延びている必要がある。
【００２６】
前記スロット３７は、上下２列に一対で設けられる。しかし、前記スロット３７は、一つのドアバスケット４０に必ず一対に設けられる必要はなく、一つのドアバスケット４０に一つのみを設けてもよい。この場合には、ドアバスケット４０がドアライナー３３で勝手に遊動しない構造にすることが好ましい。
【００２７】
前記スロット３７は、その内部３７ｂに比べ、入口部３７ａが相対的に幅狭く形成される。図示形態において、スロット３７の断面は、その内側上面が内側上方に傾斜し、その内側下面がほぼ水平面を形成しているため、前記入口部３７ａが前記内部３７ｂよりも幅狭く形成される。しかし、前記スロット３７の内側下面が下方に傾斜し、その内側上面がほぼ水平面を形成してもよい。更に、内側上下面がそれぞれ上方と下方とに傾斜して形成されてもよい。
【００２８】
ここで、前記ドアライナー３３に前記スロット３７を設けることにより、前記ドアライナー３３の内面には、スロットに対応する突部３９が形成される。前記スロット対応突部３９は、前記スロット３７に対応する前記ドアライナー３３の裏面から後方に突出している。従って、前記スロット対応突部３９の基底部３９ａは前記スロット３７の入口部３７ａに対応し、前記スロット対応突部３９の先端部３９ｂは、前記基底部３９ａよりも相対的に大きい幅で形成される。
【００２９】
一方、前記ドアライナー３３に取り付けられるドアバスケット４０は、内部に収納空間４１が設けられ、ほぼ左右に長く形成される。しかし、前記ドアバスケット４０は、一対の前記突出部３５間の間隔よりも短く形成される。前記ドアバスケット４０の背面には、ドアバスケット４０を前記ドアライナー３３に取り付けるための複数の取り付け突起４３、４３′が形成されている。
【００３０】
前記取り付け突起４３、４３′は、前記ドアバスケット４０の背面に上下２列に一対で設けられ、それぞれ後方に突出している。前記取り付け突起４３、４３′は、それぞれ前記ドアバスケット４０の背面の上下左右に長く二つ設けられたり、上下にそれぞれ複数間欠的に設けられてもよい。好ましくは、前記取り付け突起４３は、ドアバスケット４０の背面に上方部両側に二つが設けられ、取り付け突起４３′は、前記ドアバスケット４０の背面に下方部に一つが設けられる。
【００３１】
前記取り付け突起４３、４３′のうち、上方部に設けられる取り付け突起４３は、前記スロット３７の内部形状と対応するようにその先端方向に行くにつれて後方上部に傾斜して延びて、スロット３７から勝手に抜け出さないように(前記スロット３７の入口部３７ａを嵌挿によって無理やり挿通できるように）形成され、かつ下方部に設けられる取り付け突起４３′は、前記スロット３７に出入れ自由な大きさに形成されて、スロット３７の天井に係合もしくは接触してドアバスケット４０の荷重を支持する役割をする。前記取り付け突起４３′は、前記スロット３７の入口よりも相対的に小さく形成される。前記取り付け突起４３を備える前記ドアバスケット４０または前記取り付け突起４３、４３′は、所定の弾性を有する材質で形成してよい。
【００３２】
また、前記ドアライナー３３の内面には、スロットカバー４５が設けられている。前記スロットカバー４５は、発泡過程で前記スロット３７の形状が発泡液の圧力によって変形されることを防止するためのものである。前記スロットカバー４５は、発泡液の圧力がスロット対応突部３９に伝達されることを防止する。
【００３３】
前記スロットカバー４５は、前記ドアライナー３３の内面と所定間隔を置くように設けられるカバー本体４７と、前記カバー本体４７の一面から突出してスロット対応突部の上部と下部を保護する上下端カバー部４８、４９とから構成される。
【００３４】
前記カバー本体４７は、前記ドアライナー３３のスロット３７全体を含む領域と対応する大きさで形成される。前記カバー本体４７は、前記スロット対応突部３９の先端部３９ｂと隣接するように設けられる。前記カバー本体４７が前記ドアライナー３３から離隔する距離は、前記スロット対応突部３９が突出する長さ、すなわち、前記スロット３７が凹陥する長さ以上となることが好ましい。
【００３５】
他方、前記上下端カバー部４８、４９は、前記スロット対応突部３９の上下面に対応する位置で、前記カバー本体４７の一面から前方に突出している。前記上下端カバー部４８、４９は、それぞれ前記スロット対応突部３９の上下面に密着するように、対応する形状に形成される。従って、本実施例において、前記上端カバー部４８の先端に傾斜部４８′が設けられる。
【００３６】
前記傾斜部４８′は、前記スロット対応突部３９の上下面が前記上下端カバー部４８、４９に密着する状態、つまり、前記スロット対応突部３９が前記上下端カバー部４８、４９間に位置する状態で、抜け出さないように仮固定する役割をする。前記傾斜部４８′は、前記上端カバー部４８の先端から前記スロット対応突部３９の基底部３９ａに向いて下方に傾斜して延びている。前記上下端カバー部４８、４９の個数は、前記スロット対応突部３９、すなわち、前記スロット３７の個数に対応して決定される。
【００３７】
図示形態において、前記スロット３７の内側上面、すなわち、前記スロット対応突部３９の上面は傾斜して形成され、且つ前記傾斜部４８′は前記上端カバー部４８の先端に設けられる。しかし、前記スロット３７の内側下面、すなわち、前記スロット対応突部３９の下面が傾斜して形成される場合には、前記傾斜部４８′が前記下端カバー部４９の先端に形成されてよい。
【００３８】
更に、前記カバー本体４７には、複数の発泡孔４７ａが形成されている。前記発泡孔４７ａは、前記カバー本体４７の一部を前後に開口することにより形成され、前記外壁板３１とドアライナー３３との間の空間に充填される発泡液が前記ドアライナー３３とスロットカバー４５との間の空間に流動するようにする。
【００３９】
前記カバー本体４７は、前記上下端カバー部４８、４９が設けられた反対面に補強リブ５０を有する。前記補強リブ５０は、必須ではないが、前記スロットカバー４５の強度を一定値以上で維持する必要がある場合に設ける。
【００４０】
以下、このような構成の本発明による冷蔵庫用ドアバスケットの取り付け構造の作用を詳しく説明する。
【００４１】
前記ドア３０を製造するために、前記外壁板３１とドアライナー３３とを取り付けてその間に断熱層３４を形成する空間を設ける。当然ながら、前記ドアライナー３３には、前記スロットカバー４５が取り付けられている。
【００４２】
前記スロットカバー４５は、前記ドアライナー３３の内面に設けられたスロット対応突部３９に前記上下端カバー部４８、４９が係合するように設けられる。すなわち、前記スロットカバー４５を前記ドアライナー３３の内面に位置決めする。このとき、前記上下端カバー部４８、４９対の間、より正確には、傾斜部４８′の先端と下端カバー部４９の先端との間に前記スロット対応突部３９の先端３９ｂが対応するように位置決めする。
【００４３】
この状態で、前記傾斜部４８′と下端カバー部４９との間にスロット対応突部３９が挿入されるようにスロットカバー４５をドアライナー３３の内面側に押圧する。このようにして、前記ドアライナー３３のスロット対応突部３９が前記スロットカバー４５の上下端カバー部４８、４９との間に挿入されることにより、前記スロットカバー４５が仮固定される。
【００４４】
すなわち、前記スロット対応突部３９の上面は上端カバー部４８の底面に密着し、且つ前記スロット対応突部３９の下面は下端カバー部４９の上面に密着する。また、前記スロット対応突部３９の上面の傾斜した部分は、前記上端カバー部４８の下方に傾斜した傾斜部４８′の底面に密着する。
【００４５】
このようにスロットカバー４５が取り付けられたドアライナー３３と外壁板３１との間に形成された空間に、断熱層３４を形成するために発泡液を充填する。このとき、前記スロットカバー４５は、仮固定の状態であり、発泡過程で設置された位置から移動することなく、充填された発泡液が固化すると、完全に固定される。
【００４６】
そして、前記発泡液は、発泡過程で前記カバー本体４７に形成された発泡孔４７ａを介して前記ドアライナー３３とスロットカバー４５の前記上下端カバー部４８、４９との間の空間に流動可能になる。また、前記スロットカバー４５が前記スロット対応突部３９を取り囲んでおり、充填される発泡液の圧力により、前記スロット対応突部３９、つまり、スロット３７が変形する現象を防止することが可能となる。
【００４７】
前記発泡液が固化し、断熱層３４が完成すると、ドア３０が完成する。前記完成したドア３０には、種々の部品、例えば、ドアバスケット４０などが取り付けられる。すなわち、前記ドアバスケット４０は、その背面に設けられる取り付け突起４３、４３′が前記スロット３７に挿入されることにより、前記ドアライナー３３に取り付けられる。このとき、前記取り付け突起４３を前記スロット３７の前方から後方に押し込むと、前記取り付け突起４３と前記スロット３７の入口部３７ａとが少しずつ弾性変形しながら前記取り付け突起４３が前記スロット３７に挿入される。そして、前記取り付け突起４３′は、下方部のスロット３７の天井に係合される。
【００４８】
前述のように、取り付け突起４３、４３′が前記スロット３７に挿入されると、前記ドアバスケット４０が左右に移動可能となる。従って、使用者は、ドアライナー３３の外面に設けられる複数のドアバスケット４０をその設置位置を適切に設定して使用することができる。
【００４９】
以上のように、実施形態を参照して詳細に図解したが、本発明はこれに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００５０】
【図１】（ａ）は、従来技術による冷蔵庫用ドアバスケットの取り付け構造を示す正面図であり、（ｂ）は、（ａ）に示されたドアバスケットの取り付け構造を示す側断面図である。
【図２】従来技術によるドアバスケットの取り付け構造の問題点を示す説明図である。
【図３】本発明による冷蔵庫用ドアバスケットの取り付け構造の好ましい実施形態を示す正面図である。
【図４】本発明の実施形態による構成を示す断面図である。
【図５】本発明の実施形態を構成するスロットカバーの断面図である。
【符号の説明】
【００５１】
３０    ドア
３１    外壁板
３３    ドアライナー
３４    断熱層
３５    突出部
３７    スロット
３７ａ    入口部
３７ｂ    内部
３９    スロット対応突部
３９ａ    基底部
３９ｂ    先端部
４０    ドアバスケット
４１    収納空間
４３、４３′    取り付け突起
４５    スロットカバー
４７    カバー本体
４７ａ    発泡孔
４８    上端カバー部
４８′    傾斜部
４９    下端カバー部
【図１ａ】
0004699732.tif 000002
【図１ｂ】
0004699732.tif 000003
【図２】
0004699732.tif 000004
【図３】
0004699732.tif 000005
【図４】
0004699732.tif 000006
【図５】
0004699732.tif 000007